(57)【要約】【課題】  智とレンズ，ブリッジとレンズとの間にガタが生じず、かつ、ボルトの緩みも生じにくい眼鏡部品の連結構造を提供する。【解決手段】  ブリッジ６や智３等の眼鏡部品とレンズ２とを連結する眼鏡部品の連結構造であって、眼鏡部品３，６に形成され、レンズ２の周縁に形成された係合孔２ｃに係合する逆Ｊ字状の弾発部材６４と、眼鏡部品３，６の弾発部材６４に対向する位置に配置され、眼鏡部品３，６とレンズ２とを結合する結合手段６１，６３とを備え、弾発部材６４は、眼鏡部品３，６に一端が固定された基部６４ａと、この基部６４ａの他端に形成されるとともに、係合孔２ｃの底部に当接してレンズ２を弾発する折り返し部６４ｂとを有する。【選択図】  図２
2010097215.tif 000002
【特許請求の範囲】
【請求項１】
ブリッジや智等の眼鏡部品とレンズとを連結する眼鏡部品の連結構造であって、
前記眼鏡部品に形成され、前記レンズの周縁に形成された係合孔に係合する逆Ｊ字状の弾発部材と、
前記眼鏡部品の前記弾発部材に対向する位置に配置され、前記眼鏡部品と前記レンズとを結合する結合手段とを備え、
前記弾発部材は、前記眼鏡部品に一端が固定された基部と、この基部の他端に形成されるとともに、前記係合孔の底部に当接して前記レンズを弾発する折り返し部とを有すること、
を特徴とする眼鏡部品の連結構造。
【請求項２】
前記弾発部材は、前記係合孔，前記結合手段及び前記端部の位置関係に応じて、前記端部を変形させることで開放角度の変更が可能であることを特徴とする請求項１に記載の眼鏡部品の連結構造。
【請求項３】
前記弾発部材は、前記弾発部材，前記係合孔及び前記結合手段の位置関係に応じて変形させることで、前記位置関係を修正できることを特徴とする請求項１又は２に記載の眼鏡部品の連結構造。
【請求項４】
前記眼鏡部品に孔を穿設し、この孔に前記基部の一端を挿入して固着したことを特徴とする請求項１〜３のいずれかに記載の眼鏡部品の連結構造。
【発明の詳細な説明】
【技術分野】
【０００１】
本発明は眼鏡部品の連結構造に関し、特に、ツーポイントタイプの眼鏡におけるレンズと智及びレンズとブリッジとの連結構造に関する。
【背景技術】
【０００２】
ツーポイントタイプの眼鏡において、レンズと智及びレンズとブリッジとを連結する連結構造ではボルトが用いられるのが一般的であるが、このようなボルトは経時的な緩みが問題となる。容易に緩みが生じないように高トルクで締め付けると、レンズにゆがみやレンズ割れが生じるおそれがある。
また、一本のボルトと回り止め用のピンとで連結部を構成した眼鏡も周知であるが（特許文献１，２参照）、ピンを挿通する孔とボルトを挿通する孔との距離がずれると、部品の組立ができなくなって、製品そのものが不良になるおそれがあった。そのため、ピンを挿通する孔又はボルトを挿通する孔を多少大きめに形成して、多少の位置ずれが生じても組立ができるようにしているが、レンズと智又はレンズとブリッジとの間にガタが生じやすくなるという新たな問題が生じる原因となっていた。
そのため、ピンとボルトとの距離を調整可能にした眼鏡の連結構造も提案されているが（例えば特許文献４，５参照）、構造が複雑になってコスト高になるという問題がある。
【特許文献１】特開平８−５４５８２号公報
【特許文献２】特開２００２−３５０７８３号公報
【特許文献３】実用新案登録第３１０３０５９号
【特許文献４】特開２００４−２９８５５公報（例えば図４参照）
【特許文献５】特開２００３−５７６０３公報（例えば図２０，図２３参照）
【発明の開示】
【発明が解決しようとする課題】
【０００３】
本発明は、上記の問題点に鑑みてなされたもので、ピン挿通用の孔（又は溝）とボルト挿通用の孔との間に多少の寸法誤差があっても、智とレンズ，ブリッジとレンズとの間にガタが生じず、かつ、ボルトの緩みも生じにくく、構成が簡単でコストも低廉な眼鏡部品の連結構造を提供するものである。
【課題を解決するための手段】
【０００４】
上記の目的を達成するために、請求項１に記載の発明は、ブリッジや智等の眼鏡部品とレンズとを連結する眼鏡部品の連結構造であって、前記眼鏡部品に形成され、前記レンズの周縁に形成された係合孔に係合する逆Ｊ字状の弾発部材と、前記眼鏡部品の前記弾発部材に対向する位置に配置され、前記眼鏡部品と前記レンズとを結合する結合手段とを備え、前記弾発部材は、前記眼鏡部品に一端が固定された基部と、この基部の他端に形成されるとともに、前記係合孔の底部に当接して前記レンズを弾発する折り返し部とを有する構造としてある。
請求項２に記載するように、前記弾発部材は、前記係合孔，前記結合手段及び前記端部（６４ｃ）の位置関係に応じて、前記端部（６４ｃ）を変形させることで開放角度の変更可能であるとよい。また、請求項３に記載するように、前記弾発部材は、前記弾発部材，前記係合孔及び前記結合手段の位置関係に応じて、変形させることで、前記位置関係を修正できるものであるとよい。なお、前記した変形は、弾性変形でも塑性変形でもよい。
弾発部材は、請求項４に記載するように、前記眼鏡部品に孔を穿設し、この孔に前記基部の一端を挿入して鑞付け等により固着するとよい。このようにすることで、弾発部材が前記眼鏡部品にしっかりと固定され、請求項２，３に記載するように端部等を変形させる力を加えても弾発部材が容易に折損したり眼鏡部品から脱落したりすることがない。
【発明の効果】
【０００５】
本発明によれば、ピンを挿通する孔とボルトを挿通する孔との距離が多少ずれても、部品の組立を行うことができ、かつ、レンズと智又はレンズとブリッジとの間にガタは生じない。また、レンズがボルトに押し付けられているためボルトに緩みが生じにくい。
本発明の連結構造は、構成が簡素で連結構造も簡単であるうえ、前記係合孔と前記結合手段との距離や前記弾発部材と前記結合手段との位置関係にずれが生じていても、簡単に修正することができるため、コストも低廉で眼鏡の価格を高くすることがない。
【発明を実施するための最良の形態】
【０００６】
以下、本発明の好適な実施形態を、図面を参照しながら詳細に説明する。
図１は、本発明の一実施形態にかかる連結構造を適用したツーポイント眼鏡の概略斜視図である。
この眼鏡は、左右のレンズ２と、レンズ２の両端に取り付けられた智３と、この智３にヒンジ４によって折り畳み自在かつ展開自在に取り付けられるテンプル５と、左右のレンズ２を中央で連結するブリッジ６と、このブリッジ６に取り付けられた鼻パッド７とを有している。
本発明の連結構造は、左右の智３と左右のレンズ２との連結部分（Ａ，Ｄ）及びブリッジ６の両端と左右のレンズ２との連結部分（Ｂ，Ｃ）に設けられる。
【０００７】
図２は、本発明の連結構造の一実施形態にかかり、その拡大側面図である。
なお、図２では、ブリッジ６の一端とレンズ２との連結部分（Ｂ）についてのみを図示するが、他の部分（Ａ，Ｃ，Ｄ）でも同様であるので、他の部分の連結構造については説明を省略する。
ブリッジ６の一端には、螺旋孔を有するボス部６１と逆Ｊ字状の弾発部材６４とが離間して配置される。
そして、レンズ２の外周縁には弾発部材６４を挿通させる溝２ｃが形成され、この外周縁から少し内側には、ボス部６１を挿通させるための貫通孔２ａが形成されている。貫通孔２ａのレンズ裏面側には、貫通孔２ａより大径の座孔２ｂが形成されている。
【０００８】
弾発部材６４は、ブリッジ６に一端が固着される基部６４ａと、基部６４ａの他端をほぼ直角に折り返して形成した折り返し部６４ｂとから構成される。ぶり時６４への弾発部材６４の固着は、ブリッジ６に孔を穿設し、この孔に基部６４ａの一端を挿入して鑞付等すればよい。
ボス部６１の中心と弾発部材６４との最小距離は、貫通孔２ａの中心と溝２ｃの底部との距離よりも僅かに大きくする。ボス部６１の中心と弾発部材６４との最小距離が、貫通孔２ａの中心と溝２ｃの底部との距離と同じか若干大きい場合は、折り返し部６４ｂの折り返し角度を前記直角よりも小さくして、開放端５６４ｃの開放度を大きくすればよい。
また、例えば、ボス部６１の中心と弾発部材６４との位置関係が若干ずれていても、基部６４ａを支点として弾発部材６４を若干変形させることで、上記のずれを修正することができる。基部６４ａは、しっかりとブリッジ６の孔に鑞付けで固着されているので、弾発部材６４に変形のための力を加えても容易に弾発部材６４がブリッジ６から脱落することはない。
なお、前記した変形は、弾性変形でも塑性変形でもよい。また、本発明の連結構造においてブリッジ６や智３は、チタンやステンレスのように高い弾性を有する金属で形成されているのが好ましい。
【０００９】
ブリッジ６は、以下の手順でレンズ２に取り付けられる。
すなわち、ボス部６１をレンズ２の表面側から貫通孔２ａに挿入するとともに、弾発部材６４を溝２ｃに係合させる。このとき、弾発部材６４によるレンズ２の弾発力が弱い又は弾発力が０であるような場合は、開放端５６４ｃの開放度が大きくなるように折り返し部６４ｂの折り返し角度を若干調整する。
弾発部材６４により、レンズ２は図２中矢印Ｉ方向に弾発され、貫通孔２ａの内周面がボス部６１に押し付けられる。これにより、ボス部６１が貫通孔２ａ内でがたつくという不都合が発生しない。
次いで、座孔２ｂに座金６２を挿入し、レンズ２の裏面側からボルト６３を螺入する。ボルト６３を締め付けても、ボルト６３の頭部は座金６２によって直接レンズ２に当接することはないから、レンズ２に歪みや割れが生じるおそれがない。
以上により、ブリッジ６とレンズ２との連結が終了する。他の部位（Ａ，Ｃ，Ｄ）についても同様にして連結し、眼鏡を組み立てる。
【００１０】
本発明の好適な実施形態について説明したが、本発明は上記の実施形態に限定されるものではない。
例えば、上記の説明では、弾発部材６４を係合させる係合孔を溝２ｃとして説明したが、係合孔は溝状のものに限らず孔状のものであってもよい。また、この場合は、孔の内周面に折り返し部６４ｂを当接させ、ボルト６３に向けて又はボルト６３とは反対方向にレンズ２を弾発するようにすればよい。
【産業上の利用可能性】
【００１１】
本発明は、レンズと智及びレンズとブリッジの連結部分に主として適用が可能であるが、他の部分の連結にも適用が可能である。
【図面の簡単な説明】
【００１２】
【図１】本発明の一実施形態にかかる連結構造を適用したツーポイント眼鏡の概略斜視図である。
【図２】本発明の連結構造の一実施形態にかかり、その拡大側面図である。
【符号の説明】
【００１３】
２        レンズ
２ａ      貫通孔
２ｂ      座孔
２ｃ      溝（係合孔）
３        智
５        テンプル
５ａ      軸孔
６        ブリッジ
６１      ボス部
６２      座金
６３      ボルト
６４      弾発部材
６４ａ    基部
６４ｂ    折り返し部
６４ｃ    開放端
７        鼻パッド
【図１】
2010097215.tif 000003
【図２】
2010097215.tif 000004